【事件の表示】
　平成　６年特許願第２５９５３８号「医用画像表示装置」拒絶査定に対する審判事件［平成　８年　４月１２日出願公開、特開平　８−　９６１１５］について、次のとおり審決する。
【結　論】
　本件審判の請求は、成り立たない。
【理　由】
　理由
１．手続きの経緯・本願発明
　本願は、平成６年９月２９日に出願されたものであって、その請求項１に係る発明は、願書に添付した明細書及び図面の記載からみて、本願の特許請求の範囲の請求項１に記載された次のとおりである。
「【請求項１】被検体の断層像などの画像データを格納する画像データ格納部と、前記画像データを表示するディスプレイと、前記画像データの濃淡を入力信号に応じて調節して前記ディスプレイに出力する濃淡調節回路と、少なくとも２つのボタンスイッチを備え、２次元座標上を移動可能なポインティング・デバイスと、前記ポインティング・デバイスから出力される２次元座標値とボタンスイッチの状態信号に基づいて、その位置を前記ディスプレイ上に表示する位置表示回路と、を備えた医用画像表示装置において、前記ポインティング・デバイスのボタンスイッチの状態信号が特定の状態信号である場合にのみ、その出力を前記濃淡調節回路に入力信号として与え、それ以外の状態信号である場合には、その出力を前記位置表示回路に与える、前記ポインティング・デバイスからの出力を前記濃淡調節回路と前記位置表示回路とに切り換える出力切換回路を備えたことを特徴とする医用画像表示装置。」
２．引用例
　これに対して、原審における拒絶の理由に引用された、特開平３−２４９６９３号公報（以下、「引用例１」という。）には、
「２．特許請求の範囲
（１）トラックボールを操作することによって、コントラスト強調処理の対象となる濃度域の中心値と、その濃度幅を設定するようにした画像表示装置におけるコントラスト設定装置において、前記トラックボールの直交２軸方向の回転量をそれぞれ検出する回転量検出手段と、前記回転量検出手段から与えられた各方向の回転量に基づき、前記直交２軸方向の回転変位量の大きさを比較する比較手段と、前記比較手段によって検出された変位量の大きな軸方向の回転変位量に基づいて、その軸方向に応じた、前記強調処理の対象となる濃度域の中心値、またはその濃度幅を変化させるコントラスト条件設定手段と、前記コントラスト条件設定手段から与えられた設定値に基づき、原画像のコントラスト強調処理を行う画像処理手段を備えたことを特徴とする画像表示装置におけるコントラスト設定装置。」（引用例１の第１頁下左欄第４行目〜同頁下右欄第１行目）、
「Ａ．産業上の利用分野
　この発明は、Ｘ線断層撮影装置や核磁気共鳴断層撮影装置などの画像表示装置に利用され、特に、デジタル画像のコントラストを設定するための装置に関する。」（引用例１の第１頁下右欄第３〜７行目）、
「そこで、このような煩わしさを解消するために、いわゆるトラックボールによって、ウィンドの中心値と幅を設定することができる操作手段が提案実施されている。周知のように、トラックボールは、操作パネル面上に上部が露出した球体をオペレータが任意方向に回転操作することにより、前記球体に付設された回転量検出手段によって、前記回転操作量をＸおよびＹ方向の直交２軸方向の変位量成分として出力するものである。」（引用例１の第２頁上左欄第５〜１３行目）、
「第１図は、この発明の一実施例に係る画像表示装置におけるコントラスト設定装置の概略構成を示したブロック図である。
　図中、１Ｘ，１Ｙは、トラックボールＴＢのＸ方向およびＹ方向の回転を抽出する従動ローラであり、この従動ローラ１Ｘ，１Ｙにそれぞれロータリエンコーダ２Ｘ，２Ｙが連結されている。ロータリエンコーダ２Ｘ，２Ｙは、トラックボールＴＢのＸ，Ｙ方向の回転に応じたパルス信号ＳＸ，ＳＹを出力する。アップダウンカウンタ３Ｘ，３Ｙは前記パルス信号ＳＸ，ＳＹをそれぞれ計数することによって、トラックボールＴＢのＸ，Ｙ方向の回転量を検出する。上述したロータリエンコーダ２Ｘ，２Ｙやアップダウンカウンタ３Ｘ，３Ｙなどは、この発明における回転量検出手段に相当している。
アップダウンカウンタ３Ｘ，３Ｙで得られた計数値ＮＸ，ＮＹはマイクロコンピュータ４に与えられる。マイクロコンピュータ４は、この発明における比較手段およびコントラスト条件設定手段としての機能を備えている。このマイクロコンピュータ４の具体的な機能は、後述する動作説明において明らかにする。マイクロコンピュータ４は、上記計数値ＮＸ，ＮＹに基づいて、強調処理の対象となる濃度域の幅Ｗと、その中心値Ｍを、コントラスト設定条件として画像処理回路５に出力する。
画像処理回路５は、マイクロコンピュータ４から与えられたコントラスト条件に従って、画像メモリ６に記憶された原画像に対してコントラスト強調処理を行い、その結果をルックアップテーブル７を介して表示メモリ８に与える。ルックアップテーブル７は、画像処理回路５でコントラスト強調処理が施された画像信号を階調補正するための複数個のメモリから構成されている。前記入力画像信号が各メモリのアドレス指定信号として与えられることにより、各アドレスに予め設定されたデータが、階調補正済みの画像信号として出力される。オペレータは、所望の階調補正をするために、ルックアップテーブル７中の任意のメモリを指定することができる。
表示メモリ８に記憶された画像信号はＣＲＴ９に与えられることにより、コントラスト強調処理および階調補正された画像がＣＲＴ９に映し出される。」（引用例１の第３頁上左欄第２０行目〜同頁下右欄第４行目）と記載され、第１図にはコントラスト設定装置の概略構成を示したブロック図が示されている。
　これらの記載からみて引用例１には次のことが記載されているものと認められる。
「Ｘ線断層撮影装置や核磁気共鳴断層撮影装置などの画像表示装置に利用され、特に、デジタル画像のコントラストを設定するための装置において、
回転操作量をＸおよびＹ方向の直交２軸方向の変位量成分として出力するトラックボールＴＢと、
変位量に応じて、強調処理の対象となる濃度域の幅Ｗと、その中心値Ｍを、コントラスト設定条件として出力するマイクロコンピュータ４と、
原画像が記憶された画像メモリ６、
マイクロコンピュータ４から与えられたコントラスト条件に従って、画像メモリ６に記憶された原画像に対してコントラスト強調処理を行い、その結果をルックアップテーブル７を介して表示メモリ８に与える画像処理回路５、
表示メモリ８に記憶された画像信号を、コントラスト強調処理および階調補正された画像として映し出すＣＲＴ９
とを備えたたことを特徴とする画像表示装置。」
３．対比
　そこで、本願請求項１に係る発明（以下、「本願発明」という。）と、引用例１に記載された発明とを対比すると、引用例１の「画像メモリ」、「ＣＲＴ」、「コントラスト」、「画像処理回路」、「トラックボール」、「画像表示装置」は、それぞれ本願発明の「画像データ格納部」、「ディスプレイ」、「濃淡」、「濃淡調節回路」、「ポインティング・デバイス」、「医用画像表示装置」に相当するものと認められるから、両者は
「被検体の断層像などの画像データを格納する画像データ格納部と、前記画像データを表示するディスプレイと、前記画像データの濃淡を入力信号に応じて調節して前記ディスプレイに出力する濃淡調節回路と、２次元座標上を移動可能なポインティング・デバイスと、を備えた医用画像表示装置において、前記ポインティング・デバイスの出力を前記濃淡調節回路に入力信号として与えたことを特徴とする医用画像表示装置。」
点において一致し、次の点で相違している。
（相違点）
（１）相違点１
　ポインティング・デバイスが、本願発明のものが、少なくとも２つのボタンスイッチを備えているのに対して、引用例１のものは、トラックボールのボタンスイッチについては明記されていない点。
（２）相違点２
　本願発明には、ポインティング・デバイスから出力される２次元座標値とボタンスイッチの状態信号に基づいて、その位置をディスプレイ上に表示する位置表示回路が設けられているのに対して、引用例１にはそのような位置表示回路については明示されていない点。
（３）相違点３
　本願発明は、ポインティング・デバイスのボタンスイッチの状態信号が特定の状態信号である場合にのみ、その出力を濃淡調節回路に入力信号として与え、それ以外の状態信号である場合には、その出力を位置表示回路に与える、前記ポインティング・デバイスからの出力を前記濃淡調節回路と前記位置表示回路とに切り換える出力切換回路を備えているのに対して、引用例１のものは、そのような出力切換回路は設けられていない点。
４．当審の判断
　上記相違点を検討すると、
（１）相違点１について
　一般的に、コンピュータ等の入力装置として複数のボタンスイッチを持ったトラックボールは周知のものであるから、引用例１のものを少なくとも２つのボタンスイッチを備えたトラックボールとすることは当業者が容易に考えられることである。
（２）相違点２について
　上記相違点１でも述べたように、コンピュータ等の入力装置して、複数のボタンスイッチを持ったトラックボールは周知のものであり、また、ディスプレイ上のカーソルの位置を動かすことを、トラックボールにより行ったり、マウス等により行い、トラックボールやマウスに設けられたスイッチにより所定の動作を行わせることは周知慣用のことであるから、引用例１の画像表示装置においても、明記されていないが、ポインティング・デバイスから出力される２次元座標値とボタンスイッチの状態信号に基づいて、その位置をディスプレイ上に表示する位置表示回路が設けられている考えられ。
（３）相違点３について
　引用例１のものにおいて、上記（２）でも述べたように、カーソルの移動のために設けられた、マウス、トラックボール等のポインティング・デバイスが設けられており、さらにコントラスト調整用のトラックボールが設けられているときに、同じ様な入力装置を一緒にしょうと考えることは当業者なら通常のことであり、そのときに、濃淡調節回路と位置表示回路とを切り換えるための切換回路を設けて、ポインティング・デバイスのスイッチにより切り換えるようにすることは当業者ならば容易に想到し得ることである。
５．むすび
　従って、本願請求項１に係る発明は、前記引用例１に基づいて当業者が容易に発明できたものであるから、特許法第２９条第２項の規定により特許を受けることができない。
　よって、結論のとおり審決する。